(57)【要約】【課題】端末装置から宛先の設定を受信した場合のユーザ操作性を向上させる仕組みを提供することを目的とする。【解決手段】ＭＦＰ１０１は、外部装置から、データ送信の宛先を受信する。ＭＦＰ１０１は、受信した宛先がメールアドレスを含む場合には、ネットワーク送信に関するネットワーク送信機能に対応した第１の画面を表示する。一方、ＭＦＰ１０１は、宛先がメールアドレスを含まず、かつファクス番号を含む場合に、ファクス機能に対応した第２の画面を表示するよう制御する。【選択図】図１４
2018164160.tif 000002
【特許請求の範囲】
【請求項１】
外部装置から、データ送信に使用する宛先を受信する受信手段と、
前記受信した宛先がメールアドレスを含む場合は、ネットワーク送信に関するネットワーク送信機能に対応した第１の画面を表示手段に表示し、前記宛先がメールアドレスを含まず、かつファクス番号を含む場合は、前記第１の画面とは異なる画面であり、ファクス送信に関するファクス機能に対応した第２の画面を表示するよう制御する表示処理手段と、
を有することを特徴とする画像処理装置。
【請求項２】
前記宛先がメールアドレスを含む場合には、前記第１の画面に対応付けて前記宛先を設定し、前記宛先がメールアドレスを含まず、かつファクス番号を含む場合に、第２の画面に対応付けて前記宛先を設定する設定手段をさらに有することを特徴とする請求項１に記載の画像処理装置。
【請求項３】
原稿を読み取る読取手段と、
前記設定手段により設定された宛先に、前記読取手段により原稿を読み取ることで得られた画像データを送信する送信手段と、
を更に有することを特徴とする請求項２に記載の画像処理装置。
【請求項４】
前記表示処理手段は、さらに前記第１の画面の表示の許可不許可の設定に応じて、前記第１の画面を表示又は非表示とするよう制御し、前記２の画面の表示の許可不許可の設定に応じて、前記第２の画面を表示又は非表示とするよう制御することを特徴とする請求項１乃至３の何れか１項に記載の画像処理装置。
【請求項５】
前記表示処理手段は、前記第１の画面及び前記第２の画面が共に表示許可の設定の場合に、前記受信手段が前記宛先を受信したタイミングにおいて表示手段に表示されている表示画面に基づいて、前記第１の画面を表示又は非表示とするよう制御することを特徴とする請求項４に記載の画像処理装置。
【請求項６】
前記表示処理手段は、前記第１の画面及び前記第２の画面が共に表示許可の設定で、前記受信手段が前記宛先を受信したタイミングにおいて表示手段に表示されている表示画面が前記第１の画面の場合において、前記宛先がメールアドレスを含む場合には、前記第１の画面を表示するよう制御することを特徴とする請求項５に記載の画像処理装置。
【請求項７】
前記表示処理手段は、前記第１の画面及び前記第２の画面が共に表示許可の設定の場合に、前記受信手段が前記宛先を受信したタイミングにおいて表示手段に表示されている表示画面に基づいて、前記第２の画面を表示又は非表示とするよう制御することを特徴とする請求項４乃至６の何れか１項に記載の画像処理装置。
【請求項８】
前記表示処理手段は、前記第１の画面及び前記第２の画面が共に表示許可の設定で、前記受信手段が前記宛先を受信したタイミングにおいて表示手段に表示されている表示画面が前記第２の画面の場合において、前記宛先がメールアドレスを含まず、かつファクス番号を含む場合には、前記第２の画面を表示するよう制御することを特徴とする請求項７に記載の画像処理装置。
【請求項９】
前記表示処理手段は、前記受信手段が前記宛先を受信したタイミングにおいて表示手段に表示されている表示画面に基づいて、前記第１の画面を表示又は非表示とするよう制御することを特徴とする請求項１又は２に記載の画像処理装置。
【請求項１０】
前記表示処理手段は、前記受信手段が前記宛先を受信したタイミングにおいて表示手段に表示されている表示画面に基づいて、前記第２の画面を表示又は非表示とするよう制御することを特徴とする請求項１乃至３の何れか１項に記載の画像処理装置。
【請求項１１】
画像処理装置が実行する情報処理方法であって、
外部装置から、データ送信に使用する宛先を受信する受信ステップと、
前記受信した宛先がメールアドレスを含む場合は、ネットワーク送信に関するネットワーク送信機能に対応した第１の画面を表示手段に表示し、前記宛先がメールアドレスを含まず、かつファクス番号を含む場合は、前記第１の画面とは異なる画面であり、ファクス送信に関するファクス機能に対応した第２の画面を表示するよう制御する表示処理ステップと
を含むことを特徴とする情報処理方法。
【請求項１２】
コンピュータを、
外部装置から、データ送信に使用する宛先を受信する受信手段と、
前記受信した宛先がメールアドレスを含む場合は、ネットワーク送信に関するネットワーク送信機能に対応した第１の画面を表示手段に表示し、前記宛先がメールアドレスを含まず、かつファクス番号を含む場合は、前記第１の画面とは異なる画面であり、ファクス送信に関するファクス機能に対応した第２の画面を表示するよう制御する表示処理手段と
して機能させるためのプログラム。
【発明の詳細な説明】
【技術分野】
【０００１】
本発明は、画像処理装置、情報処理方法及びプログラムに関する。
【背景技術】
【０００２】
近年、多機能周辺装置（以下、ＭＦＰ）において、スキャナで読み込んだ原稿をＦＡＸ送信したり、添付ファイルにしてＥメール送信したりすることができる送信機能を搭載したものが一般的に普及している。特許文献１には、ＭＦＰにＦＡＸやＥメールの宛先を設定する技術として、モバイル端末のアドレス帳に登録されているＥメールやＦＡＸの宛先をＷｉ−Ｆｉ等の近接通信を使い、ＭＦＰに転送するという技術が開示されている。
【０００３】
また、ＦＡＸ送信用の操作画面と、ネットワークを介したデータ送信用の操作画面とを別々に用意したＭＦＰも既に存在している。このようなＭＦＰには、ＦＡＸ送信を行う際にはＦＡＸ送信に関する設定のみを設定可能とした操作画面が表示され、ネットワークを介したデータ送信を行う際にはネットワーク送信に関する設定のみを設定可能とした操作画面が表示される。また、ＦＡＸ送信用の操作画面とネットワーク送信用の操作画面とを別々に用意した上で、片方の操作画面上に、ＦＡＸ送信とネットワーク送信の全ての設定が可能なようにできるＭＦＰも存在している。
【先行技術文献】
【特許文献】
【０００４】
【特許文献１】特開２０１０−４１６６５号公報
【発明の概要】
【発明が解決しようとする課題】
【０００５】
ＭＦＰが、携帯端末から宛先の設定を受信して、データ送信の宛先として設定する場合において、送信機能に関する画面が複数存在する場合においても、ユーザ操作性を向上させることが望まれている。
【０００６】
本発明はこのような問題点に鑑みなされたもので、端末装置から宛先の設定を受信した場合のユーザ操作性を向上させる仕組みを提供することを目的とする。
【課題を解決するための手段】
【０００７】
そこで、本発明は、画像処理装置であって、外部装置から、データ送信に使用する宛先を受信する受信手段と、前記受信した宛先がメールアドレスを含む場合は、ネットワーク送信に関するネットワーク送信機能に対応した第１の画面を表示手段に表示し、前記宛先がメールアドレスを含まず、かつファクス番号を含む場合は、前記第１の画面とは異なる画面であり、ファクス送信に関するファクス機能に対応した第２の画面を表示するよう制御する表示処理手段と、を有することを特徴とする。
【発明の効果】
【０００８】
本発明によれば、端末装置から宛先の設定を受信した場合のユーザ操作性を向上させる仕組みを提供することができる。
【図面の簡単な説明】
【０００９】
【図１】画像形成システムの全体図である。
【図２】ＭＦＰのハードウェア構成図である。
【図３】端末装置のハードウェア構成図である。
【図４】メニュー画面を示す図である。
【図５】設定画面を示す図である。
【図６】デバイス選択画面を示す図である。
【図７】宛先送信画面を示す図である。
【図８】ポータル画面を示す図である。
【図９】メインメニュー画面を示す図である。
【図１０】ユニバーサル送信画面を示す図である。
【図１１】ＦＡＸ送信画面を示す図である。
【図１２】アドレス帳画面を示す図である。
【図１３】宛先情報送信処理を示すフローチャートである。
【図１４】宛先情報受信処理を示すフローチャートである。
【図１５】表示設定情報の一例を示す図である。
【図１６】第２の実施形態に係る宛先情報受信処理を示すフローチャートである。
【発明を実施するための形態】
【００１０】
以下、本発明の実施形態について図面に基づいて説明する。
【００１１】
（第１の実施の形態）
図１は、第１の実施形態に係る画像形成システムの全体図である。ＭＦＰ１１０、端末装置１２０及びアクセスポイント１３０はそれぞれ対応するＷｉ−Ｆｉ通信により通信ができる。ＭＦＰ１１０は、画像処理装置の一例である。端末装置１２０は、携帯型の情報処理装置であり、ＭＦＰ１１０の外部装置の一例である。端末装置１２０としては、スマートフォンやタブレットＰＣ等の装置を想定しているが、Ｗｉ−Ｆｉ通信が可能な情報処理装置であれば他の装置であってもよい。ＭＦＰ１１０と端末装置１２０は、アクセスポイント１３０経由でＷｉ−Ｆｉインフラモードで接続し、通信を行うことが可能である。また、他の例としては、ＭＦＰ１１０自身をソフトアクセスポイントモードで動作させ、端末装置１２０とダイレクトＷｉ−Ｆｉ接続でアクセスポイント１３０を使わずに直接接続して通信を行ってもよい。
【００１２】
図２は、ＭＦＰ１１０のハードウェア構成図である。ＭＦＰ１１０は、ＲＯＭ２０２又はハードディスク２１３に記憶されたソフトウェアを実行するＣＰＵ２０１を備え、ＣＰＵ（Ｃｅｎｔｒａｌ  Ｐｒｏｃｅｓｓｉｎｇ  Ｕｎｉｔ）２０１はシステムバス２１６に接続される各デバイスを総括的に制御する。なお、ＨＤＤ２１３は、場合によっては画像の一時記憶場所としても使われることがある。２０３はＲＡＭで、ＣＰＵ２０１の主メモリ、ワークエリア等として機能する。２０８は操作部コントローラーで、ＭＦＰ１１０に備えられた各種ボタンあるいは操作パネル２０９、ディスプレイ２１１等を制御する。２１２はディスクコントローラで、ＨＤＤ２１３を制御する。なお、後述するＭＦＰ１１０の機能や処理は、ＣＰＵ２０１がＲＯＭ２０２又はＨＤＤ２１３に格納されているプログラムを読み出し、このプログラムを実行することにより実現されるものである。
【００１３】
なお、本実施形態のＭＦＰ１１０では、１つのＣＰＵ２０１が１つのメモリ（ＲＡＭ２０３）を用いて後述するフローチャートに示す各処理を実行するものとするが、他の様態であっても構わない。例えば複数のプロセッサー、ＲＡＭ、ＲＯＭ、及びストレージを協働させて後述するフローチャートに示す各処理を実行することもできる。また、ハードウェア回路を用いて一部の処理を実行するようにしてもよい。
【００１４】
２０７はネットワークＩ／Ｆ（インタフェース）で、ネットワーク２２０を介して、他のネットワーク機器あるいはファイルサーバ等と双方向にデータをやりとりする。２０６は無線ＬＡＮ  Ｉ／Ｆであり、インフラモードで動作する場合は、アクセスポイントを介してネットワーク２２０に接続し、他のネットワーク機器あるいはファイルサーバ等と双方向にデータをやりとりする。ソフトアクセスポイントモードで動作する場合は、ＭＦＰ１１０はアクセスポイントとして動作し、端末装置１２０と直接無線通信接続することができる。
【００１５】
２１４はプリンタであり、電子写真方式で実現される、紙への印字部である。印字方式は、特に電子写真方式でなくてもよい。２１５はスキャナであり、原稿上の画像を読み取るための画像読取部である。多くの場合、スキャナ２１５にはオプションとしてＡＤＦ（オートドキュメントフィーダ）（不図示）が装着されており、複数枚の原稿を自動的に読み込むことができる。スキャナ２１５によって原稿上の画像を読み取って得られたイメージデータ（画像データ）は、ＲＡＭ２０３又はＨＤＤ２１３に転送される。イメージデータはネットワークを介して外部装置に送信されたり、公衆電話網を介してファクス送信されたりする。
【００１６】
ＭＦＰ１１０は非接触式ＩＣカードのＮＦＣ（Ｎｅａｒ  Ｆｉｅｌｄ  Ｃｏｍｍｕｎｉｃａｔｉｏｎ）リーダライタ２０４及びＢｌｕｅｔｏｏｔｈ（登録商標）  Ｉ／Ｆ２０５を介して各種周辺機器とデータの授受を行うことができる。Ｂｌｕｅｔｏｏｔｈに関しては、近年省電力通信を行うＢｌｕｅｔｏｏｔｈ  Ｌｏｗ  Ｅｎｅｒｇｙ（以下、ＢＬＥ）に対応したものも普及し始めている。２１７はＭＯＤＥＭ  Ｉ／Ｆであり、ＭＯＤＥＭ２１８の制御を行う。ＭＯＤＥＭ２１８は、ＩＴＵ−Ｔ勧告に基づきデジタルデータをアナログの音声信号に変調復調してＦＡＸ通信のデータ伝送や手順制御に使用される。なお、ＦＡＸ機能はオプションであるため、ＭＯＤＥＭ２１８は無い場合もある。
【００１７】
図３は、端末装置１２０のハードウェア構成図である。ＣＰＵ３０７はＲＯＭ３０８が記憶している制御プログラムを読み出して、端末装置１２０の動作を制御するための様々な処理を実行する。ＲＯＭ３０８は、制御プログラムを記憶している。ＲＡＭ３０９は、ＣＰＵ３０７の主メモリ、ワークエリア等の一時記憶領域として用いられる。フラッシュメモリ３１０は、写真や電子文書等の様々なデータを記憶する。なお、後述する端末装置１２０の機能や処理は、ＣＰＵ３０７がＲＯＭ３０８に格納されているプログラムを読み出し、このプログラムを実行することにより実現されるものである。
【００１８】
操作パネル３０１は、ユーザのタッチ操作を検出可能なタッチパネル機能を備え、ＯＳやＥメール送信アプリケーションが提供する各種画面を表示する。ユーザは操作パネル３０１にタッチ操作を入力することで、端末装置１２０に所望の操作指示を入力することができる。なお、端末装置１２０は不図示のハードウェアキーを備えていて、ユーザはこのハードウェアキーを用いて端末装置１２０に操作指示を入力することができる。
【００１９】
カメラ３０４はユーザの撮像指示に応じて撮像する。カメラ３０４で撮像された写真は、フラッシュメモリ３１０の所定の領域に記憶される。また、ＱＲコード（登録商標）解析が可能なプログラムを用いて、カメラ３０４で読み取ったＱＲコードから情報を取得することも可能である。端末装置１２０はＮＦＣ  Ｉ／Ｆ３０５、Ｂｌｕｅｔｏｏｔｈ  Ｉ／Ｆ３０６、無線ＬＡＮ  Ｉ／Ｆ３１１を介して各種周辺機器とデータの授受を行うことができる。端末装置１２０のＢｌｕｅｔｏｏｔｈに関してもＢＬＥに対応した端末が普及し始めている。
【００２０】
次に、図４〜図７を参照しつつ端末装置１２０の表示画面について説明する。図４は、メニュー画面４００を示す図である。メニュー画面４００は、モバイルアプリケーションの設定や、機能の選択のための画面である。機能選択ボタン４０１、４０２、４０３、４０４は、ユーザがモバイルアプリケーションによって提供される機能の利用開始を指示することができる。機能選択ボタン４０１はＭＦＰ１１０に送信する宛先情報（Ｅメール宛先、ＦＡＸ宛先）及びメール情報を設定するための「宛先送信」アプリケーションを選択するためのボタンである。ＭＦＰリスト４０５には、モバイルアプリケーションが過去に通信を行ったことのあるＭＦＰ１１０の一覧が表示される。なお、ＭＦＰ１１０は、ＭＦＰ１１０との通信時にＭＦＰ１１０の情報をＲＯＭ２０２等に記憶しておくものとする。ユーザはＭＦＰリスト４０５から選択することにより通信先のＭＦＰ１１０を指定することができる。設定ボタン４０７が押下されると、端末装置１２０は、設定画面を表示する。
【００２１】
図５は、設定画面５００を示す図である。戻るボタン５０１が押下されると、端末装置１２０は、モバイルアプリケーションの設定を保持し、図４に示すメニュー画面４００に遷移する。アプリケーション設定ボタン５０２が押下されると、端末装置１２０は、モバイルアプリケーションの設定項目リストを表示する（不図示）。モバイルアプリケーションの設定項目とは、例えばＭＦＰ１１０のユーザ認証情報の設定登録や、宛先送信時のＭＦＰ１１０との接続方法の設定等を含むものとするがこれらに限定されるものではない。デバイス選択ボタン５０３が押下されると、端末装置１２０は、デバイス選択画面を表示する。
【００２２】
図６は、デバイス選択画面６００を示す図である。デバイス選択画面６００に遷移すると、端末装置１２０は、自装置が接続されているネットワークから、そこに接続されているＭＦＰ１１０を探索し、見つかったＭＦＰ１１０の一覧を表示する。ＭＦＰ１１０の選択ボタン６０１、６０２、６０３が押下されると、端末装置１２０は、各選択ボタン６０１〜６０３に対応したＭＦＰ１１０のＩＰアドレスやＭＡＣアドレス等の情報をＲＯＭ２０２等に記録する。ここで記録されたＭＦＰ１１０は、メニュー画面４００のＭＦＰリスト４０５に選択可能に表示される。
【００２３】
新しいデバイスを探すボタン６０４が押下されると、端末装置１２０は、自装置が接続されているネットワーク上でＭＦＰ１１０を改めて探索し、デバイス選択画面６００に表示するＭＦＰリスト（選択ボタン）を更新する。また、他の例としては、端末装置１２０は、ユーザの直接入力によりＩＰアドレスを受け付け、これに従いＭＦＰ１１０の探索を行ってもよい。戻るボタン６０１が押下されると、端末装置１２０は、画面表示をメニュー画面４００（図４）に遷移させる。
【００２４】
図７は、宛先送信画面７００を示す図である。ユーザは、宛先送信画面７００において宛先送信に必要な情報を入力する。アドレス帳ボタン７０７は、アドレス帳アプリを開くためのボタンである。アドレス帳ボタン７０７によりアドレス帳アプリを開き、そこに登録されているＥメール宛先またはＦＡＸ宛先を選択すると、宛先入力フィールド７０１に反映される。なお、複数の宛先が同時に指定可能である。宛先入力フィールド７０１は端末装置１２０のソフトキーボードから新規の宛先を入力して指定することも可能である。
【００２５】
件名フィールド７０２は、Ｅメールの件名を入力するフィールドである。本文フィールド７０３は、Ｅメールの本文を入力するフィールドである。ファイル名フィールド７０４は、Ｅメールの添付ファイルの名称を入力するフィールドである。件名フィールド７０２、本文フィールド７０３、ファイル名フィールド７０４は、端末装置１２０のソフトキーボードで、ユーザが文字列を入力可能である。何れのフィールドもソフトキーボードだけでなく、音声認識等での入力であってもよい。本実施例では示していないが、これ以外にもＭＦＰ１１０で原稿をスキャンする際のスキャン設定、例えば解像度やカラーモード等も端末装置１２０から設定可能にしてもよい。
【００２６】
端末装置１２０は、デバイスにセットボタン７０５が押下されると、宛先送信画面７００で入力された宛先等のデータをＭＦＰ１１０に送信するための処理を行う。このとき宛先送信時のＭＦＰ１１０との接続方法として、既に接続済みのＭＦＰには改めて接続処理を行わない旨の設定がされていれば、端末装置１２０は、選択されているＭＦＰ１１０に対して宛先等のデータ送信を即座に開始する。
【００２７】
端末装置１２０は、宛先送信時にＭＦＰ１１０との接続処理を行う設定になっている場合は、ＢＬＥの電波が受信されていれば、ＢＬＥ通信を使ってＭＦＰ１１０とＷｉ−Ｆｉ（登録商標）接続するために必要な情報を取得する。必要な情報とは、ＭＦＰ１１０と端末装置１２０が外部のアクセスポイントを介さずに無線通信するダイレクト無線接続であればＳＳＩＤ／ＫＥＹである。また、必要な情報とは、ＭＦＰ１１０と端末装置１２０が外部のアクセスポイントを介して無線通信するインフラ接続であればＩＰアドレスである。そして、端末装置１２０は、Ｗｉ−ＦｉハンドオーバーとＭＦＰ１１０のペアリングを行う。そして、端末装置１２０は、ペアリングされたＭＦＰ１１０に対して宛先等のデータ送信を行う。なお、本実施形態では、無線通信方式の一例として、Ｗｉ−Ｆｉ規格に準拠する無線通信方式を例示しているがこれに限定されるものではない。ＩＥＥＥ８０２．１１シリーズに準拠する無線通信方式や、その他の無線通信方式であってもよい。ハンドオーバーを行わず、ＢＬＥ通信を用いて宛先の送信を行うようにすることもできる。
【００２８】
ＢＬＥの電波が受信されていない場合は、端末装置１２０は、ＭＦＰ１１０に表示されるＱＲコードを読み取るためにカメラ３０４を起動する。端末装置１２０は、ＱＲコードを読み取り、そこからＷｉ−Ｆｉ接続に必要な情報を取得し、Ｗｉ−ＦｉハンドオーバーとＭＦＰ１１０のペアリングを行う。そして、端末装置１２０は、ペアリングされたＭＦＰ１１０に対して宛先等のデータの送信を行う。端末装置１２０は、ＭＦＰ１１０に対してデータ送信が完了すると宛先送信画面７００の入力を全てクリアする。そして、端末装置１２０は、画面表示をメニュー画面４００（図４）に戻す。データ送信に失敗した場合は、端末装置１２０は、エラーを表示して宛先送信画面７００の入力はクリアせずそのままにしておく。
【００２９】
次に、図８〜図１１を参照しつつＭＦＰ１１０の表示画面について説明する。図８は、ポータル画面８００を示す図である。ポータル画面８００は、ＭＦＰ１１０と端末装置１２０とがＷｉ−Ｆｉ接続する際に表示される画面である。ポータル画面８００にはインフラ接続モードボタン８０１とダイレクト接続モードボタン８０２があり、それぞれＷｉ−Ｆｉインフラ、Ｗｉ−Ｆｉダイレクトで端末装置１２０と接続するための情報表示の切り替えが可能になっている。
【００３０】
図８（ａ）は、ダイレクト接続モードボタン８０２が押下された場合の表示例を示している。Ｗｉ−Ｆｉダイレクト通信操作ボタン８０３が押下されると、ＭＦＰ１１０は、Ｗｉ−Ｆｉダイレクト通信を開始または停止させる。図８（ａ）はＷｉ−Ｆｉダイレクト通信が開始されている状態を示している。ＭＦＰ１１０は、Ｗｉ−Ｆｉダイレクト通信開始時には、Ｗｉ−Ｆｉダイレクト通信に必要な情報を画面に表示するとともに、それらの情報を埋め込んだＱＲコード８０４を表示する。Ｗｉ−Ｆｉダイレクト通信に必要な情報とは、例えばＳＳＩＤやＫＥＹである。ただし、これらに限らない。ＭＦＰ１１０は、Ｗｉ−Ｆｉダイレクト通信を停止させた場合には、これらの情報及びＱＲコードを非表示とする。
【００３１】
図８（ｂ）は、インフラ接続モードボタン８０１が押下された場合の表示例を示している。この場合、ＭＦＰ１１０は、端末装置１２０とＭＦＰ１１０とがアクセスポイント１３０経由でＷｉ−Ｆｉインフラ接続を行うための情報を表示するとともに、それらの情報を埋め込んだＱＲコード８１０を表示する。Ｗｉ−Ｆｉインフラ接続に必要な情報とは、例えばＭＦＰ１１０のＩＰアドレスである。ただし、これに限らない。
【００３２】
端末装置１２０は、ＱＲコードを読み取ることにより、Ｗｉ−Ｆｉダイレクト接続であればＳＳＩＤとＫＥＹを自動取得し、Ｗｉ−ＦｉダイレクトのネットワークにハンドオーバーしてＭＦＰ１１０と通信可能な状態にすることができる。また、端末装置１２０は、Ｗｉ−Ｆｉインフラ接続であれば、ＭＦＰ１１０のＩＰアドレスを自動取得し、ＭＦＰ１１０とペアリングを行って接続先を決定することができる。
【００３３】
なお、ＭＦＰ１１０でＮＦＣリーダライタ２０４が使用可能な状態になっていれば、端末装置１２０は前述したＱＲコードにより取得可能な情報と同じ情報を、ＮＦＣ通信機能を用いて取得し、Ｗｉ−Ｆｉ接続を行うことができる。同様に、ＭＦＰ１１０でＢｌｕｅｔｏｏｔｈＩ／Ｆ２０５が使用可能な状態になっていれば、同情報を端末装置１２０のＢＬＥ通信機能を用いて取得し、Ｗｉ−Ｆｉ接続を行うことができる。
【００３４】
図９は、メインメニュー画面９００を示す図である。メインメニュー画面９００にはＭＦＰ１１０で使用可能な機能を選択可能なボタンが配置されている。ＦＡＸ送信ボタン９０１が押下されると、ＭＦＰ１１０は、ＦＡＸ送信画面（図１１）を表示する。ユニバーサル送信ボタン９０２が押下されると、ＭＦＰ１１０は、ユニバーサル送信画面（図１０）を表示する。ここで、ユニバーサル送信とは、ネットワークを介した送信処理（ネットワーク送信処理）である。
【００３５】
図１０は、ユニバーサル送信画面１０００を示す図である。ユニバーサル送信画面１０００は、Ｅメール、ＦＡＸ、ＳＭＢ、ＦＴＰ等の複数のプロトコルを使い、スキャンした原稿画像を送信する際に表示される画面である。ここで、ユニバーサル送信画面１０００は、ネットワーク送信に関するネットワーク送信機能及びファクス送信に関するファクス送信機能に対応した画面の一例である。宛先リスト１００１には、送信先に設定された宛先がリスト表示される。ユニバーサル送信画面１０００では、宛先は、Ｅメール、ＦＡＸ、ＳＭＢ、ＦＴＰ等の複数プロトコルを同報指定することが可能である。ユーザは、送信宛先が設定された状態で、図示省略のスタートキーを選択することで、当該設定された送信宛先にスキャナ２１５で原稿上の画像を読み取って得られたイメージデータを送信することができる。ＣＰＵ２０１は、送信宛先が設定された状態で、図示省略のスタートキーを選択された場合に、スキャナ２１５と協働して、イメージデータを生成する。また、ＣＰＵ２０１は、ネットワークＩ／Ｆ２０７又は無線ＬＡＮＩ／Ｆ２０６と協働してイメージデータを前記送信宛先に送信する。なお、宛先がファクシミリ番号の場合、ＣＰＵ２０１は、ＭＯＤＥＭ２１８と協働して、イメージデータを送信する。
【００３６】
図１０には、宛先が設定され、宛先リスト１００１に宛先が表示されている例を示している。宛先未設定の状態においては、宛先リスト１００１の宛先は非表示となる。宛先リスト１００１への宛先の追加は、宛先の指定ボタン１００７を押下して後述するアドレス帳画面（図１２）に遷移させ、ＭＦＰ１１０のアドレス帳に登録されている宛先から選択することで可能である。また、端末装置１２０から宛先を追加することもできる。
【００３７】
詳細情報ボタン１００４が押下されると、ＭＦＰ１１０は、画面表示を選択中の宛先の詳細情報を表示する画面（不図示）に遷移させる。宛先削除ボタン１００５が押下されると、ＭＦＰ１１０は、選択中の宛先を削除することができる。その他の設定ボタン１００３が押下されると、ＭＦＰ１１０は、送信の内容変更のメニュー一覧の画面（不図示）を表示する。モバイルから宛先指定ボタン１００６が押下されると、ＭＦＰ１１０は、画面表示をするポータル画面８００に遷移させる。
【００３８】
図１１は、ＦＡＸ送信画面１１００を示す図である。ＦＡＸ送信画面１１００は、ＦＡＸ専用の画面であり、ＦＡＸ送信を行うための操作がやりやすいような画面構成になっている。ＦＡＸ送信画面１１００は、ファクス機能に対応した画面の一例である。なお、ＦＡＸ送信画面１１００は、ネットワーク送信機能には対応していないものとする。ＦＡＸ送信画面１１００を介してファクス送信に特化した画面である。例えば、ユーザは、ダイレクト送信ボタンを利用することで、原稿スキャン前に設定宛先にダイヤルし、ファクス送信が可能であることが確認できた後に原稿の読み込み及び送信を開始するダイレクト送信機能を利用できる。
【００３９】
また、ユーザは、図１１のように送信宛先が設定された状態で、図示省略のスタートキーを選択することで、当該設定された送信宛先にスキャナ２１５で原稿上の画像を読み取って得られたイメージデータを送信することができる。ＣＰＵ２０１は、送信宛先が設定された状態で、図示省略のスタートキーを選択された場合に、スキャナ２１５と協働して、イメージデータを生成する。また、ＣＰＵ２０１は、ＭＯＤＥＭ２１８と協働して、設定された送信宛先にイメージデータを送信する。
【００４０】
ＦＡＸ宛先リスト１１０１には、送信先に設定された宛先がリスト表示される。ＦＡＸ宛先リスト１１０１には、ＦＡＸ宛先のみが設定可能である。図１１には、宛先が設定され、ＦＡＸ宛先リスト１１０１に宛先が表示されている例を示している。宛先未設定の状態においては、ＦＡＸ宛先リスト１１０１の宛先は非表示となる。ＦＡＸ宛先リスト１１０１への宛先の追加は、宛先の指定ボタン１１０２を押下して後述するアドレス帳画面（図１２）に遷移させ、ＭＦＰ１１０のアドレス帳に登録されている宛先から選択することで可能である。また、端末装置１２０からＦＡＸ宛先を追加することもできる。
【００４１】
詳細情報ボタン１１０３が押下されると、ＭＦＰ１１０は、画面表示を選択中の宛先の詳細情報を表示する画面（不図示）に遷移させる。宛先削除ボタン１１０４が押下されると、ＭＦＰ１１０は、選択中の宛先を削除する。その他の設定ボタン１１０５が押下されると、送信の内容変更のメニュー一覧の画面（不図示）を表示する。モバイルから宛先指定ボタン１１０６が押下されると、ＭＦＰ１１０は、画面表示をポータル画面８００（図８）に遷移させる。
【００４２】
図１２は、アドレス帳画面１２００を示す図である。アドレス帳画面１２００には、ＭＦＰ１１０のアドレス帳に登録されている宛先を表示する宛先表示フィールド１２０１が設けられている。ユーザは、ここから１件以上の宛先を選択することができる。ＯＫボタン１２０２が押下されると、ＭＦＰ１１０は、アドレス帳画面１２００を閉じ、宛先表示フィールド１２０１で選択された宛先を呼出元の画面の宛先リストに設定する。キャンセルボタン１２０３が押下されると、ＭＦＰ１１０は、アドレス帳画面１２００を閉じる。この場合、ＭＦＰ１１０は、宛先リスト１００１またはＦＡＸ宛先リスト１１０１の更新は行わない。
【００４３】
次に、端末装置１２０がＭＦＰ１１０に送信する送信データについて説明する。送信データには、データ種別、宛先種別、Ｅメール種別、データ、宛先種別に対応した宛先、Ｅメールの件数、本文、添付ファイル等が含まれる。ここで、データ種別としては、「宛先」、「件名」、「本文」、「ファイル名」がある。宛先種別は、データ種別が「宛先」の場合に、その宛先がＥメールかＦＡＸかを判別するための属性である。データには、データ種別に応じた値が格納される。
【００４４】
図１３は、端末装置１２０による宛先情報送信処理を示すフローチャートである。Ｓ１３００において、端末装置１２０のＣＰＵ３０７は、操作パネル３０１へのユーザ操作に応じて宛先情報を受け付け、これをＲＯＭ３０８に記録する。ここで、宛先情報は、宛先種別、Ｅメール種別、宛先種別の応じた宛先等を含む。次に、Ｓ１３０１において、ＣＰＵ３０７は、操作パネル３０１へのユーザ操作に応じてＭＦＰ１１０への送信指示を受け付ける。次に、Ｓ１３０２において、ＣＰＵ３０７は、ＢｌｕｅｔｏｏｔｈＩ／Ｆ３０６に対しＢＬＥの電波受信を開始するよう指示する。これに対応し、ＢｌｕｅｔｏｏｔｈＩ／Ｆ３０６は、ＢＬＥの電波受信を開始する。そして、ＣＰＵ３０７は、ＢｌｕｅｔｏｏｔｈＩ／Ｆ３０６により受信されたアドバタイジングパケットを解析する。
【００４５】
次に、Ｓ１３０３において、ＣＰＵ３０７は、受信したアドバタイジングパケット中に宛先送信機能に対応したＭＦＰ１１０であることを示す情報が含まれているか否かに基づいて、ＭＦＰ１１０を検出したか否かを判定する。ＣＰＵ３０７は、ＭＦＰ１１０を検出した場合には（Ｓ１３０３でＹｅｓ）、処理をＳ１３０４へ進める。ＣＰＵ３０７は、ＭＦＰ１１０を検出しなかった場合には（Ｓ１３０３でＮｏ）、処理をＳ１３２０へ進める。
【００４６】
Ｓ１３０４において、ＣＰＵ３０７は、検出されたすべてのＭＦＰ１１０の一覧を操作パネル３０１に表示する。次に、Ｓ１３０５において、ＣＰＵ３０７は、ユーザ操作に応じてＭＦＰ１１０の選択指示を受け付けると、選択指示に従い、通信相手として１つのＭＦＰ１１０を選択する。次に、Ｓ１３０６において、ＣＰＵ３０７は、ＢｌｕｅｔｏｏｔｈＩ／Ｆ３０６に対しＢＬＥのＧＡＴＴ通信の開始を指示する。これに対応し、ＢｌｕｅｔｏｏｔｈＩ／Ｆ３０６は、ＢＬＥのＧＡＴＴ通信を開始する。次に、Ｓ１３０７において、ＢｌｕｅｔｏｏｔｈＩ／Ｆ３０６は、ＭＦＰ１１０が公開するＳＳＩＤ／ＫＥＹの値を取得する。
【００４７】
次に、Ｓ１３０８において、ＣＰＵ３０７は、ＢｌｕｅｔｏｏｔｈＩ／Ｆ３０６に対しＢＬＥ通信の切断を指示する。これに対応し、ＢｌｕｅｔｏｏｔｈＩ／Ｆ３０６は、ＢＬＥ通信を切断する。次に、Ｓ１３０９においてＣＰＵ３０７は、無線ＬＡＮ  Ｉ／Ｆ３１１を用いて、ＭＦＰ１１０とのダイレクトＷｉ−Ｆｉ通信の接続を開始し、取得したＩＰアドレスとペアリングを組む。ＣＰＵ３０７は、ペアリングが終了すると処理をＳ１３１０へ進める。Ｓ１３１０において、ＣＰＵ３０７は、ＲＡＭ３０９に保存した宛先及び件名等を含む宛先情報を、無線ＬＡＮ  Ｉ／Ｆ３１１を用いてＭＦＰ１１０に送信する。以上で宛先情報送信処理が終了する。
【００４８】
一方、Ｓ１３２０において、ＣＰＵ３０７は、ＱＲリーダを起動する。次に、Ｓ１３２１において、ＣＰＵ３０７は、カメラ３０４を用いて、ＭＦＰ１１０のポータル画面８００に表示されたＱＲコードを撮影する。次に、Ｓ１３２１において、ＣＰＵ３０７は、撮影画像を取得し、その内容をデコードする。次に、Ｓ１３２２において、ＣＰＵ３０７は、デコードしたデータに含まれるＷｉ−Ｆｉ接続情報を取得し、その後処理をＳ１３０９へ進める。
【００４９】
図１４は、ＭＦＰ１１０による宛先情報受信処理を示すフローチャートである。Ｓ１４００において、ＭＦＰ１１０のＣＰＵ２０１は、ネットワークＩ／Ｆ２０７を介して、端末装置１２０から宛先情報を受信する。次に、Ｓ１４０１において、ＣＰＵ２０１は、受信した宛先にＥメールアドレスが１件以上含まれているか否かを確認する。具体的には、ＣＰＵ２０１は、宛先種別がＥメールに設定された宛先が１件以上含まれているか否かを確認する。ＣＰＵ２０１は、Ｅメールアドレスが含まれている場合には（Ｓ１４０１でＹｅｓ）、処理をＳ１４０２へ進める。ＣＰＵ２０１は、Ｅメールアドレスが含まれていない場合、すなわちＦＡＸ番号のみが含まれる場合には（Ｓ１４０１でＮｏ）、処理をＳ１４０４へ進める。
【００５０】
Ｓ１４０２において、ＣＰＵ２０１は、ディスプレイ２１１にユニバーサル送信画面１０００を表示するよう制御する。次に、Ｓ１４０３において、ＣＰＵ２０１は、ユニバーサル送信画面１０００の宛先リスト１００１に宛先としてＥメールアドレスを設定する。以上で、宛先受信処理が終了する。一方、Ｓ１４０４において、ＣＰＵ２０１は、ディスプレイ２１１にＦＡＸ送信画面１１００を表示するよう制御する。次に、Ｓ１４０５において、ＣＰＵ２０１は、ＦＡＸ送信画面１１００のＦＡＸ宛先リスト１１０１に宛先としてＦＡＸ番号を設定する。以上で、宛先受信処理が終了する。ユーザは、図示省略のスタートキーを選択し、上記の処理で設定された宛先への送信指示を行うことができる。ＣＰＵ２０１は、送信宛先が設定された状態で、図示省略のスタートキーが選択されたことを検知すると、スキャナ２１５と協働して、イメージデータを生成する。また、ＣＰＵ２０１は、ネットワークＩ／Ｆ２０７又は無線ＬＡＮＩ／Ｆ２０６と協働してイメージデータを前記送信宛先に送信する。なお、宛先がファクシミリ番号の場合、ＣＰＵ２０１は、ＭＯＤＥＭ２１８と協働して、イメージデータを送信する。
【００５１】
なお、Ｓ１４０２及びＳ１４０４の処理は、宛先がファクス番号である場合に、ファクス機能に対応した画面を表示し、宛先がメールアドレスを含む場合に、ネットワーク送信機能及びファクス機能に対応した画面を表示するよう制御する表示処理の一例である。Ｓ１４０３及びＳ１４０４の処理は、宛先がメールアドレスを含む場合には、ユニバーサル送信画面に対応付けて宛先を設定し、宛先がメールアドレスを含まず、かつファクス番号を含む場合に、ＦＡＸ送信画面に対応付けて宛先を設定する設定処理の一例である。
【００５２】
以上のように、第１の実施形態に係る画像形成システムにおいては、端末装置１２０から送信される宛先は、そのプロトコル種別に応じて、ＭＦＰ１１０の最適な機能画面に設定される。端末装置１２０から送信される宛先が同時に複数、さらにプロトコル種別が混在されていたとしても、それに応じた、ＭＦＰの最適な機能画面に設定される。このように、ＭＦＰ１１０は、端末装置から宛先の設定を受信した場合のユーザ操作性を向上させる仕組みを提供することができる。また、宛先が設定された後に、当該機能画面から更なる宛先の追加や、送信設定やスキャン設定の変更などを行うことができる仕組みを提供することができる。従って、ユーザは、モバイルアプリケーション側からは設定できないが、ＭＦＰ１１０の操作パネルからは設定できるオプション設定など追加で設定することができる。例えば、宛先がメールアドレスを含まず、かつファクス番号を含む場合は、ファクス送信に特化した画面が表示される。従って、ダイレクト送信機能などファクス送信に特化したオプション設定やオプション機能を簡単に使用できるようになる。      
【００５３】
なお、第１の実施形態の変形例としては、ＭＦＰ１１０は、Ｓ１４０１において宛先種別がＥメールに設定されている場合に、Ｓ１４０２の処理及びＳ１４０３の処理のうち何れか一方のみを行うこととしてもよい。また、ＭＦＰ１１０は、Ｓ１４０１において宛先種別がＦＡＸに設定されている場合に、Ｓ１４０４の処理及びＳ１４０５の処理のうち何れか一方のみを行うこととしてもよい。
【００５４】
（第２の実施形態）
次に、第２の実施形態に係る画像形成システムについて説明する。第２の実施形態に係る画像形成システムにおいては、ＭＦＰ１１０は、機能画面に対して予め設定された情報に従い、機能画面の表示非表示を制御する。以下、第２の実施形態に係る画像形成システムについて、第１の実施形態に係る画像形成システムと異なる点について説明する。
【００５５】
図１５は、表示設定情報の一例を示す図である。表示設定情報１５００は、例えばユーザ操作に応じて設定変更可能であるものとする。表示設定情報１５００は、ＭＦＰ１１０のＲＯＭ２０２又はＨＤＤ２１３に記憶されている。１５０１は、ユニバーサル送信機能のライセンスの有無の設定である。ライセンスがインストールされている場合は「有り」に設定され、インストールされていない場合は「無し」に設定される。１５０２は同様にＦＡＸライセンスの有無の設定である。１５０３はメインメニュー画面９００にユニバーサル送信ボタン９０２を表示するか否かの設定である。
【００５６】
１５０４はユニバーサル送信画面１０００にＦＡＸ機能を表示するか否かの設定である。１５０５はメインメニュー画面９００にＦＡＸ送信ボタン９０１を表示するか否かの設定である。ＦＡＸ送信は便利なＦＡＸ送信画面１１００から行わせ、ユニバーサル送信画面ではＦＡＸを禁止したい場合には、図１５に示すように設定すればよい。なお、ＭＦＰ１１０は、上記設定以外にも機能ライセンスやハード構成に応じて、ＦＡＸ機能、ユニバーサル送信機能の画面の表示非表示を制御してもよい。なお、表示設定情報１５００は、画面の表示の許可不許可（ライセンスの有り無し）の設定を示す情報である。
【００５７】
図１６は、第２の実施形態に係るＭＦＰ１１０による宛先情報受信処理を示すフローチャートである。Ｓ１６００において、ＭＦＰ１１０のＣＰＵ２０１は、ネットワークＩ／Ｆ２０７を介して、端末装置１２０から宛先情報を受信する。本処理は、Ｓ１４００の処理と同様である。次に、Ｓ１６０１において、ＣＰＵ２０１は、表示設定情報を参照し、表示可能な画面を確認する。ＣＰＵ２０１は、表示可能な画面がＦＡＸ送信画面１１００のみの場合には（Ｓ１６０１でＦＡＸ送信画面）、処理をＳ１６０２へ進める。ＣＰＵ２０１は、表示可能な画面がユニバーサル送信画面１０００のみの場合には（Ｓ１６０１でユニバーサル送信画面）、処理をＳ１６０６へ進める。ＣＰＵ２０１は、表示可能な画面がユニバーサル送信画面及びＦＡＸ送信画面１１００の両画面の場合には（Ｓ１６０１で両画面）、処理をＳ１６１１へ進める。
【００５８】
ここで、ＣＰＵ２０１は、ユニバーサル送信画面１０００については、表示設定情報におけるユニバーサル送信ライセンス１５０１の値が「有り」の場合に、表示可能と判定する。また、ＣＰＵ２０１は、ＦＡＸ送信画面１１００については、ＦＡＸライセンス１５０２の値が「有り」で、かつＭＯＤＥＭ  Ｉ／Ｆ２１７によりＭＯＤＥＭ２１８が検出された場合に、ＦＡＸ送信画面１１００を表示可能と判定する。
【００５９】
Ｓ１６０２において、ＣＰＵ２０１は、宛先情報がＥメールアドレスを含むか否かを判定する。ＣＰＵ２０１は、Ｅメールアドレスを含む場合には（Ｓ１６０２でＹｅｓ）、処理をＳ１６０５へ進める。ＣＰＵ２０１は、宛先情報がＥメールアドレスを含まない場合には（Ｓ１６０２でＮｏ）、処理をＳ１６０３へ進める。Ｓ１６０３において、ＣＰＵ２０１は、ＦＡＸ送信画面１１００を表示するよう制御する。次に、Ｓ１６０４において、ＣＰＵ２０１は、ＦＡＸ送信画面１１００のＦＡＸ宛先リスト１１０１に対し、宛先として宛先情報に含まれるすべてのＦＡＸ番号を設定する。さらに、ＣＰＵ２０１は、端末装置１２０に対し、成功応答を送信する。以上で、宛先情報受信処理が終了する。Ｓ１６０５においては、ＣＰＵ２０１は、エラー返答を端末装置１２０に送信する。すなわち、この場合には、ＣＰＵ２０１は、機能画面の表示及び宛先の設定は行わない。
【００６０】
Ｓ１６０６において、ＣＰＵ２０１は、表示設定情報においてユニバーサル送信画面のＦＡＸ表示１５０４の値により、ＦＡＸ番号をユニバーサル送信画面１０００に表示可能か否かを判定する。ＣＰＵ２０１は、表示可能な場合には（Ｓ１６０６でＹｅｓ）、処理をＳ１６０８へ進める。ＣＰＵ２０１は、表示不可な場合には（Ｓ１６０６でＮｏ）、処理をＳ１６０７へ進める。
【００６１】
Ｓ１６０７において、ＣＰＵ２０１は、宛先情報がＦＡＸ番号を含むか否かを判定する。ＣＰＵ２０１は、ＦＡＸ番号を含む場合には（Ｓ１６０７でＹｅｓ）、処理をＳ１６１０へ進める。ＣＰＵ２０１は、ＦＡＸ番号を含まない場合には（Ｓ１６０７でＮｏ）、処理をＳ１６０８へ進める。Ｓ１６０８において、ＣＰＵ２０１は、ユニバーサル送信画面１０００を表示するよう制御する。次に、Ｓ１６０９において、ＣＰＵ２０１は、ユニバーサル送信画面１０００の宛先リスト１００１に対し、宛先として宛先情報に含まれるすべての宛先を設定する。Ｓ１６１０において、ＣＰＵ２０１は、エラー返答を端末装置１２０に送信する。
【００６２】
また、Ｓ１６１１において、ＣＰＵ２０１は、処理時点、すなわち宛先情報を受信したタイミングにおいてディスプレイ２１１に表示されている画面を特定する。ＣＰＵ２０１は、表示中の画面がＦＡＸ送信画面１１００の場合には（Ｓ１６１１でＦＡＸ送信画面）、処理をＳ１６０２へ進める。ＣＰＵ２０１は、表示中の画面がユニバーサル送信画面１０００の場合には（Ｓ１６１１でユニバーサル画面）、処理をＳ１６０６へ進める。ＣＰＵ２０１は、表示中の画面が送信機能画面以外のその他の画面の場合には（Ｓ１６１１でその他の画面）、処理をＳ１６１２へ進める。Ｓ１６１２において、ＣＰＵ２０１は、エラー返答を端末装置１２０に送信する。ＣＰＵ２０１は、表示中の画面がメインメニュー画面９００の場合には（Ｓ１６１１でメニュー画面）、処理をＳ１６１３へ進める。
【００６３】
Ｓ１６１３において、ＣＰＵ２０１は、宛先の種別を判定する。宛先がＦＡＸ番号のみの場合には（Ｓ１６１３でＦＡＸ番号）、処理をＳ１６０３へ進める。ＣＰＵ２０１は、宛先がＥメールアドレスのみの場合には（Ｓ１６１３でＥメールアドレス）、処理をＳ１６０８へ進める。ＣＰＵ２０１は、宛先がＦＡＸ番号とＥメールアドレスの両宛先を含む場合には（Ｓ１６１３で両宛先）、処理をＳ１６０６へ進める。以上のように、ＭＦＰ１１０は、ユニバーサル送信画面１０００及びＦＡＸ送信画面１１００が共に表示許可の設定の場合には、表示中の表示画面に基づいて、ユニバーサル送信画面１０００及びＦＡＸ送信画面１１００の表示非表示を制御する。なお、第２の実施形態に係る画像形成システムのこれ以外の構成及び処理は、第１の実施形態に係る画像形成システムの構成及び処理と同様である。
【００６４】
以上のように、第２の実施形態においては、ＭＦＰ１１０は、表示設定情報に応じて、適切な画面を表示することができる。また、ＭＦＰ１１０は、適切な画面に宛先を設定することができる。これにより、ユーザがより使いやすい画面で送信操作を行うことが可能になる。
【００６５】
第２の実施形態の変形例としては、ＭＦＰ１１０は、表示の許可不許可及び表示中の画面の種類のうち少なくとも一方に応じて、表示する画面、宛先を設定する画面を決定してもよい。
【００６６】
以上、本発明の好ましい実施形態について詳述したが、本発明は係る特定の実施形態に限定されるものではなく、特許請求の範囲に記載された本発明の要旨の範囲内において、種々の変形・変更が可能である。
（その他の実施例）
【００６７】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６８】
１１０  ＭＦＰ
１２０  端末装置
【図１】
2018164160.tif 000003
【図２】
2018164160.tif 000004
【図３】
2018164160.tif 000005
【図４】
2018164160.tif 000006
【図５】
2018164160.tif 000007
【図６】
2018164160.tif 000008
【図７】
2018164160.tif 000009
【図８】
2018164160.tif 000010
【図９】
2018164160.tif 000011
【図１０】
2018164160.tif 000012
【図１１】
2018164160.tif 000013
【図１２】
2018164160.tif 000014
【図１３】
2018164160.tif 000015
【図１４】
2018164160.tif 000016
【図１５】
2018164160.tif 000017
【図１６】
2018164160.tif 000018